(57)【要約】【課題】デザイン性に優れ、奥行き感を存分に表現できるユニットバスルーム用壁パネルを提供する。【解決手段】中間部材４を介して設けた２つの表面板２、３を備えてなるユニットバスルーム用壁パネルであって、中間部材４は透光性の部材であり、浴室側の表面板２は透光性の部材で形成し、中間部材４に照明装置６を設置する照明収納部５を形成することで、ユニットバスムール用壁パネルの内部から照明装置６の光が間接的に放たれる構造とする。【選択図】　図２
2004108005.tif 000002
【特許請求の範囲】
【請求項１】
中間部材を介して設けた２つの表面板を備えてなるユニットバスルーム用壁パネルであって、
前記中間部材は、透光性の部材であり、
浴室側の表面板は、透光性の部材で形成し、
前記中間部材に照明装置を設置する照明収納部を形成したことを特徴としたユニットバスルーム用壁パネル。
【請求項２】
前記照明収納部を、前記中間部材の上方に設けた請求項１に記載のユニットバスルーム用壁パネル。
【請求項３】
前記浴室側の表面板の一部に、前記照明収納部と連通する開口部と、該開口部を覆う蓋部とを設けた請求項１又は請求項２に記載のユニットバスルーム用壁パネル。
【請求項４】
前記中間部材は、ネット状の板体である請求項１乃至請求項３にいずれかに記載のユニットバスルーム用壁パネル。
【発明の詳細な説明】
【０００１】
【発明の属する技術分野】
本発明は、ユニットバスルーム用壁パネルに関するものである。
【０００２】
【従来の技術】
従来の壁パネルとしては、例えば、ハニカム等の網目状に成形した中間部材の両開口部に各々表面板を設けたものを挙げることができる（特許文献１参照）。なお、この表面板は、少なくともいずれか一方が透明であり光透過性に優れている。
【０００３】
ここで、ユニットバスルーム用壁パネルとしては、上述の壁パネルの光透過性に優れた透明の表面板側を浴室側に設置したものを挙げることができる。
【０００４】
【特許文献１】
特開平５−３１８６３２号公報
【０００５】
【発明が解決しようとする課題】
ところが、上述のようなユニットバスルーム用壁パネルにおいては、浴室内に設ける照明装置は、通常ユニットバスルーム用壁パネルの表面に取り付けられており、例えユニットバスルーム用壁パネルの光透過性は良くても、照明の効果によって奥行き感を出すことはできなかった。
【０００６】
そこで、浴室に奥行き感を出す場合には、ユニットバスルーム用壁パネルの浴室側の表面板に凹凸をつける等の手法がとられていたが、この方法でも浴室の奥行き感を充分に表現することは困難であり、更なる改良が求められていた。
【０００７】
本発明は上記問題点を改善するためになされたものであり、デザイン性に優れ、奥行き感を存分に表現できるユニットバスルーム用壁パネルを提供することを目的とするものである。
【０００８】
【課題を解決するための手段】
請求項１に記載のユニットバス用壁パネルは、中間部材４を介して設けた２つの表面板２、３を備えてなるユニットバスルーム用壁パネルであって、中間部材４は透光性の部材であり、浴室側の表面板２は透光性の部材で形成するともに、中間部材４に照明装置６を設置する照明収納部５を形成したことを特徴とするものである。
【０００９】
また、請求項２に記載のユニットバスルーム用壁パネルは、請求項１に記載の発明において、照明収納部５を、中間部材４の上方に設けたことを特徴とするものである。
【００１０】
また、請求項３に記載のユニットバスルーム用壁パネルは、請求項１又は請求項２に記載の発明において、浴室側の表面板２の一部に、照明収納部５と連通する開口部５１と、開口部５１を覆う蓋部７とを設けたことを特徴とするものである。
【００１１】
また、請求項４に記載のユニットバスルーム用壁パネルは、請求項１乃至請求項３のいずれかに記載の発明において、中間部材４がネット状の板体であることを特徴とするものである。
【００１２】
【発明の実施の形態】
以下、本発明の実施形態を図１乃至図４に基づいて説明する。図１（ａ）は、本発明の実施形態に係るユニットバスルーム用壁パネル１を示す平面図であり、図２は、ユニットバスルーム用壁パネル１のＡ−Ａ断面における側面断面図の一部であり、図３（ａ）は、本発明の実施形態に係るユニットバスルーム用壁パネル１の表面板２と蓋部７とを取り外した状態のユニットバスルーム用壁パネル１を浴室側であるＢ方向から見た平面図の一部であり、図４は、ユニットバスルーム用壁パネル１を施工した際の天井部を除いた状態の上面図である。
【００１３】
ここで、本実施形態において、図１（ａ）、図２、図３（ａ）に示すように、ユニットバスルーム用壁パネル１は、図４に示す浴槽１０等を備えた浴室側であり全面が透光性である表面板２と、浴室とは反対側に設けた表面板３（以降、裏面板３と称する。）と、表面板２と裏面板３との間にサンドイッチして設けたハニカム状で透光性の中間部材４と、中間部材４の上方箇所の一部に形成した例えば直方体状の照明収納部５と、照明収納部５に設ける照明装置６と、後述する開口部５１を介して照明収納部５を覆う透光性の蓋部７とを備えた構成である。
【００１４】
また、本実施形態においては、浴室側に設けた表面板２は、照明収納部５と連通するよう開口部５１を設けており、その材質は透明又は半透明のガラス板、合成樹脂板、プラスチック板等である。本実施形態においては、表面板２は全面が透光性を備えた透光部を形成するが、少なくとも一部が透光部を形成していればよく、例えは窓のような透光部を設け、他の部分は透光性のない部材で形成することも考えられる。なお、裏面板３は、透光性の板であってもよいが、必ずしも透光性の板である必要はなく、透光性を有していない合成樹脂板や金属板等を使用してもよい。
【００１５】
ここで、本実施形態において、中間部材４は、透光性の部材、例えば透明又は半透明の透光性の合成樹脂を用い、所望サイズの六角形からなるセルを規則的に配列した所望の板厚みのハニカム状に形成したものである。なお、中間部材４の形状はハニカム状に限ったものではなく、図３（ｂ）に示すような格子状や、図示はしないが他の多角形や円形状といった任意の形状のセルであってもよい。また、中間部材４の材質は、透光性を有する紙等であってもよい。
【００１６】
また、本実施形態においては、照明収納部５は、中間部材４の上方側に形成する構成としているが、中間部材４の一部に所望のサイズで形成すればよく、照明収納部５を中間部材４の上下左右方向の任意の位置に設けてもよい。なお、照明収納部５の形状は、直方体状としているが、内部に設置する照明装置６の形状にあわせて任意の形状であってよい。また、照明収納部５のパネル厚み方向の開口深さは、裏面板３に達するまでの任意の深さに設定することができる。
【００１７】
なお、照明装置６は、例えば照明取付台６１と、蛍光灯６２とを備えてなり、照明収納部５の上方に設置され、照明取付台６１は、裏面板３にネジ６３を用いて例えば２箇所で固定されている。なお、照明装置６は、蛍光灯６２を用いたものに限られるものではなく、通常の電球やＬＥＤなど、光源となる任意のものを用いればよく、その形状も浴室のデザインに合わせて例えば丸型のものであってもよい。
【００１８】
また、照明収納部５は、表面板２の開口部５１を介して、例えば透明または半透明のアクリル板といった透光性の部材で形成した蓋部７で覆われている。蓋部７は例えばネジ７１を用いて例えば４箇所で表面板２に固定されている。なお、蓋部７は透光性を有しない部材でもよく、材質はアクリルに限られるものではない。
【００１９】
そして、照明装置６内に水が入らないようにするために、表面板２と蓋部７の間にパッキン７２を設けてもよい。なお、本実施形態においては、中間部材４と表面板２、裏面板３との接着は、例えば酢酸ビニル系の接着剤を用いて行う。
【００２０】
かかるユニットバスルーム用壁パネルにおいては、透光性の浴室側の表面板２と透光性の中間部材４を用い、中間部材４の一部に照明装置６を設置する照明収納部５を形成することで、ユニットバスムール用壁パネル１の内部から壁一面に照明装置６の光が間接的に放たれ、視覚効果により存分な奥行き感を創り出すことができる。これにより、ユーザーは例え狭い浴室であっても実際のサイズより広く感じることができ、また、間接照明によりデザイン性にすぐれた空間を演出することができる。
【００２１】
また、照明収納部５を中間部材４の上方に設けることで、浴室の上方から下方向に向う広い範囲で間接光が利用できるので、浴室が明るくなる。また、照明収納部５を中間部材４の上方に設け、この照明収納部５に照明装置６を設けることで、浴室側からの水滴等が照明装置６にかかりににくくなる。
【００２２】
また、浴室側の表面板２の一部に、照明収納部５と連通する開口部５１と、開口部５１を覆う透光性の蓋部７とを設けることで、蓋部７の透光性を利用して照明装置６の光を浴室側に提供するとともに、浴室側からの水滴等から照明装置６を防水することができる。また、蛍光灯６２などの照明器具の交換が容易にできる。
【００２３】
さらに、中間部材４をハニカム状とすることで、ユニットバスルーム用壁パネル１から放たれる間接光を効率的に、デザイン性にもすぐれた状態で提供することができる。また、中間部材４に空気層を設けることができるので、断熱性や耐久性に優れたユニットバスルーム用壁パネル１を提供することができる。
【００２４】
なお、ユニットバスルーム用壁パネル１は、図１（ｂ）に示すように、ユニットバスルーム用壁パネル１の外枠を囲むフレーム２１を設けるような構成にしてもよい。また、ユーザーが、浴室側の表面板２からユニットバスルーム用壁パネル１を見た際のデザイン性を更に向上させるために、裏面板３の中間部材４側の所望の箇所や、中間部材４の所望の箇所に意匠を施してもよい。
【００２５】
また、本実施形態においては、図４に示すように、浴室の少なくとも一壁面を本発明に係るユニットバスルーム用壁パネル１で構成する状態を図示しているが、例えば浴室入口となる壁面以外が全て本発明に係るユニットバスルーム用壁パネル１であるようにしてもよい。
【００２６】
そして、本実施形態においては、ユニットバスルーム用壁パネル１は、表面板２に開口部５１を設け、この開口部５１を蓋部７にて覆う構成であるが、表面板２の開口部５１、蓋部７をそれぞれ設けないような構成であってもよい。なお、本実施形態においては、照明収納部５の数は１つであるが、少なくとも１つあればよいので、その他複数個の照明収納部５を設け、その中に各々照明装置６を設置するようにしてもよい。
【００２７】
【発明の効果】
上記のように、本願の請求項１に係る発明のユニットバスルーム用壁パネルにあっては、中間部材を介して設けた２つの表面板を備えてなるユニットバスルーム用壁パネルであって、中間部材は透光性の部材であり、浴室側の表面板は透光性の部材で形成するとともに、中間部材に照明装置を設置する照明収納部を形成するので、ユニットバスムール用壁パネルの内部から照明装置の光が間接的に放たれ、視覚効果により存分な奥行き感を創り出すことができ、ユーザーは例え狭い浴室であっても実際のサイズより広く感じることができるという効果を奏する。また、間接照明によりデザイン性にすぐれた空間を演出することができるという効果を奏する。
【００２８】
また、請求項２に係る発明のユニットバスルーム用壁パネルにあっては、請求項１に記載の発明において、照明収納部を中間部材の上方に設けるので、浴室の上方から下方向に向う広い範囲で間接光が利用でき、浴室が明るくなるという効果を奏する。また、浴室側からの水滴等が照明装置にかかりににくくなるという効果を奏する。
【００２９】
また、請求項３に係る発明のユニットバスルーム用壁パネルにあっては、請求項１又は請求項２に記載の発明において、浴室側の表面板の一部に、照明収納部と連通する開口部と、開口部を覆う蓋部とを設けるので、バスルームの水滴から照明装置を防水でき、照明器具の取替えが容易にできるという効果を奏する。
【００３０】
また、請求項４に係る発明のユニットバスルーム用壁パネルにあっては、請求項１乃至請求項３のいずれかに記載の発明において、中間部材をネット状の板体とするので、ユニットバスルーム用壁パネルの内部から放たれる間接光を効率的に、デザイン性にもすぐれた状態で提供することができるという効果を奏する。また、中間部材をネット状の板体とすることで、中間部材に空気層を設けることができるので、断熱性や耐久性に優れたユニットバスルーム用壁パネルを提供することができるという効果を奏する。
【図面の簡単な説明】
【図１】本発明の実施形態に係るユニットバスルーム用壁パネルを示す平面図である。
【図２】本発明の実施形態に係るユニットバスルーム用壁パネルの側面断面図の一部である。
【図３】本発明の実施形態に係るユニットバスルーム用壁パネルの内部を示す平面図である。
【図４】本発明の実施形態に係るユニットバスルーム用壁パネルを施工した際の上面図である。
【符号の説明】
１　ユニットバスルーム用壁パネル
２　表面板
３　裏面板
４　中間部材
５　照明収納部
５１　開口部
６　照明装置
７　蓋部
【図１】
2004108005.tif 000003
【図２】
2004108005.tif 000004
【図３】
2004108005.tif 000005
【図４】
2004108005.tif 000006